(57)【要約】      （修正有）【課題】環境雑音の状態に関わらず生体音の聴診を容易にすることができる電子聴診器を提供する。【解決手段】チェストピース１から生体音に混入して取得される環境雑音に対するＤＳＰ（デジタル信号処理器）１２によるノイズキャンセラーを設けることと、環境雑音の混入元となる導音管を排除した。さらに、イヤピース１８、１９付近から耳に混入する環境雑音を音響的に相殺するためにＤＳＰ１３を設ける。上記の複数の手段を組み合わせたノイズキャンセラーを具備する。【選択図】図１
2016067857.tif 000002
【特許請求の範囲】
【請求項１】
チェストピース付近から取得する生体音に混入した雑音を信号処理により除去するＤＳＰ１２によるノイズキャンセラーとヘッドホン付近からに耳に混入する雑音の逆特性信号をスピーカ２４，２５から発生させる事で音響的に雑音を相殺するための信号を作成するＤＳＰ１３によるノイズキャンセラーを具備することを第１の特徴とする。
【請求項２】
生体音聴診時の音量調節は、プリセット機能を設ける事で予め使用者の好みの音量に聴診する周波数帯域毎に自動設定する機能を具備することを第２の特徴とする。
【請求項３】
ヘッドホン部分におけるＤＳＰ１３によるノイズキャンセラーをフィードフォワード型と適応フィルタ型の複合構成または何れか一方の構成としても良い。
【請求項４】
図１では、チェストピース内に２組のマイク、ＰＧＡ及びＡＤＣを採用した例を示したがＤＳＰ１２によるノイズキャンセラーの代わりに一組のマイク、ＰＧＡ及びＡＤＣを採用しＤＳＰ１２によるノイズサプレッションを使用する構成でも良い。
【請求項５】
イヤピース部分でのノイズキャンセラーは、フィードフォワード型とフィードバック型による複合構成または何れか一つの構成でも良い。
【請求項６】
ＤＳＰ１２、１３はデジタルシグナルプロセッサーの代わりに集積回路によるハードウェアで構成しても良い。
【請求項７】
ノイズキャンセラーは、環境雑音として有色雑音が混入した場合の収束特性を考慮した場合を考慮するとＮＬＭＳの改良型であるブロック直交射影アルゴリズムを基礎とするアルゴリズムを採用することが最良と考えるが他のアルゴリズムを採用しても良い。
【請求項８】
図１では、ＤＳＰ１２、ＤＳＰ１３及び加算器１４、１５を使用しているがそれらの何れか又は全部を単一のＤＳＰを用いて実行する構成としても良い。
【請求項９】
図１では、イヤピース部分をカナル型として構成しているが耳に載せる又は耳を覆うヘッドホン型とする構成としても良い。
【発明の詳細な説明】
【技術分野】
【０００１】  この発明は、電子回路による聴診器の構成に関する。
【背景技術】
【０００２】  従来の電子聴診器では、チェストピース部分で生態音を取得する際に心音や肺音等の生体音と共に周囲の話し声や環境雑音（以下環境雑音とします）が受診者の体、若しくは空気中を伝わり直接チェストピースに入力されるが生体音を聞き易くするためにそれらの雑音を低減する機能を有している図３。他の例では、生体音を聞き易くするためにイヤピース近傍の周囲環境雑音に対する雑音低減機能のみを有している図２。
【先行技術文献】
【特許文献】
【０００３】
【特許文献１】特許公開２００４−２４２８４９
【特許文献２】特許公開平８−８４７２８
【非特許文献】
【０００４】
【非特許文献１】尾関和彦、梅宮哲夫、「アフィン空間への直交射影を用いた適応フィルタアルゴリズムとその諸特性」、電子情報通信学会論文（Ａ）、ｖｏｌ．Ｊ６７−Ａ、ｎｏ．２、ｐｐ．１２６−１３２、Ｆｅｂ．１９８４
【非特許文献２】古川利博、久保田一、辻井重男、「ブロック適応信号処理における直交射影アルゴリズムとその諸特性」、信学論（Ａ）、ｖｏｌ．Ｊ７１−Ａ、ｎｏ．１２、ｐｐ．２１３２−２１４６、Ｄｅｃ．１９８８
【発明の概要】
【発明が解決しようとする課題】
【０００５】  しかしながら、以上の技術によれば、チェストピースから取得される環境騒音を低減する機能を具備しているが導音官を通して環境雑音が入力された場合は生体音の聴診が困難な場合があった図３。また、イヤピース付近から直接耳に混入する環境雑音を低減する機能を具備している場合でもチェストピースから混入する環境雑音によって生体音の聴診が困難な場合があった図２。特にドクターヘリ、ドクターカー、救急車、屋外、小児科や救急外来などにおける診療など環境騒音の比較的多い場所での聴診は雑音の影響が原因で生体音の聴診が困難であった。
そこで、この発明は、環境雑音の状態に関わらず生体音の聴診を容易にすることを課題とする。
【課題を解決するための手段】
【０００６】  以上の課題を解決するために、導音官２６を省き全ての機能を電子回路で構成する図１ことで個々にチェストピース１から生体音に混入した環境雑音とイヤピース１８、１９と耳の隙間などから混入する環境雑音を低減するＤＳＰ１２、１３によるノイズキャンセラーの両方及びプリセット音量調節機能を具備する事を特徴とする電子聴診器である。ＤＳＰ１２、１３にて処理を行うノイズキャンセラーは環境雑音として有色雑音が混入した場合の収束特性を考慮した場合ＮＬＭＳの改良型であるブロック直交射影アルゴリズムを基礎とする適応フィルタのアルゴリズムを採用することが良い［非特許文献１］、［非特許文献２］が他のアルゴリズムを採用しても良い。
【発明の効果】
【０００７】  本発明によれば、環境雑音の影響を受けるチェストピース１付近から混入する環境雑音及びイヤピース１８，１９付近から混入する環境雑音を低減するＤＳＰ１２、１３によるノイズキャンセラーによって環境雑音の状態に左右されること無く且つプリセット音量調節器を具備することで聴診のたびに音量調節を行う必要が無いため環境雑音の状態に左右されること無く明瞭で容易な聴診を行うことが可能になる。
【図面の簡単な説明】
【０００８】
【図１】この発明の一実施形態を示すブロック図である。
【図２】従来技術の構成の例１を示すブロック図である。
【図３】従来技術の構成の例２を示すブロック図である。
【発明を実施するための形態】
【０００９】  この発明の一実施形態を、図１に示す。
図１の電子聴診器ではチェストピース１、チェストピース部に設けるマイクロホン２、３、入力信号増幅器（ＰＧＡ）４、５、６、７、生体音及び環境雑音を取得するアナログデジタル信号変換器（ＡＤＣ）８、９、１０、１１、デジタル信号処理器（ＤＳＰ）１２、１３、加算器１４、１５、デジタルアナログ変換器（ＤＡＣ）１６、１７、イヤピース１８、１９、イヤピース内に設けるスピーカを駆動する電力増幅器（ＡＭＰ）２０、２１、イヤピース内に設けるスピーカ２２、２３及びイヤピース内に設ける環境雑音を取得するマイクロホン２４、２５から構成される。
【実施形態の効果】
【００１０】  この実施形態によれば、チェストピース１内に設けられたマイクロホン２により取得された環境雑音を含む生体音とチェストピース付近の環境雑音を取得するマイクロホン３からの信号をＰＧＡ４、５により適切なレベルに増幅しＡＤＣ８、９を用いてデジタル信号に変換しＤＳＰ１２によるノイズキャンセラー処理を施しチェストピースから生体音と共に混入した環境雑音を低減させた生体音信号を得る。  また、ヘッドホン１８、１９内部に設置したマイクロホン２４、２５で取得した環境雑音をＰＧＡ６、７で適切なレベルに変換しＡＤＣ１０、１１によりデジタル信号に変換しＤＳＰ１３によるノイズキャンセラー処理で雑音の逆特性信号を作成する。ＤＳＰ１２により環境雑音を低減した生体音信号とＤＳＰ１３により作成した耳に直接混入する環境雑音の逆特性信号を加算器１４、１５にて加算しＤＡＣ１６、１７及びＡＭＰ２０、２１を使用して左右のヘッドホンに設けられたスピーカ２２、２３から出力し周囲環境雑音を音響的に相殺することで明瞭な生体音を出力し聴診を容易にすることを実現する。
【他の実施形態】
図１の実施形態では、ＤＳＰ１２、ＤＳＰ１３及び加算器１４、１５は単一のＤＳＰを使用して処理しても良い。  イヤピース部分での雑音低減処理を行う場合フィードフォワード型とフィードバック型による複合構成または何れか一つの雑音低減処理を搭載しても良い。  図１ではイヤピース部分をカナル型として構成しているが耳に載せる又は耳を覆うヘッドホン型としても良い。また、電子聴診器であるためチェストピース部をダイヤフラム型のみとしＤＳＰ１２によるフィルタ処理により従来のベル型チェストピース部による低域の周波数帯域とダイヤフラム型チェストピース部による高域の周波数帯域の生体音聴診の使用分けをダイヤフラム型のみで設定を変更するだけで実現することが出来る。また、音量調節の設定も同様に演算処理により実現可能であり、プリセット機能を設ける事で使用者の好みの音量を聴診する周波数帯域毎に設定することができる。
【符号の説明】
【００１１】１    チェストピース        ２、３    マイクロホン
４、５、６、７    入力信号増幅器（ＰＧＡ）
８、９、１０、１１    アナログデジタル信号変換器（ＡＤＣ）
１２、１３  デジタル信号処理器（ＤＳＰ）    １４、１５  加算器
１６、１７  デジタルアナログ変換器（ＤＡＣ）
１８、１９  ヘッドホン      ２０、２１  電力増幅器（ＡＭＰ）
２２、２３  スピーカ        ２４、２５  マイクロホン
２６  導音官
【図１】
2016067857.tif 000003
【図２】
2016067857.tif 000004
【図３】
2016067857.tif 000005